(57)【要約】【課題】収納部内の収納空間をうまく活用しながら、ゴミ袋を収納空間に配置し、ゴミ袋にゴミの投入をしやすくすることにある。【解決手段】一対の上端フレーム５４は、前側フレーム５４部ａと、後側フレーム部５４ｂとからなり、引き出し部２９は、クリップ５６によりゴミ袋を取り付けた場合、クリップ５６により開口したゴミ袋の口の周縁の一端を前側フレーム部５４ａへ、開口したゴミ袋の口の周縁の他端を後側フレーム部５４ｂへ各々取り付けることで、開口したゴミ袋の口を後側よりも前側が下がるようにして傾斜した状態で保持できる。【選択図】図３
2016135707.tif 000002
【特許請求の範囲】
【請求項１】
面に囲まれた内部空間を有する収納部と、
該収納部に互いに離間した状態で平行に配置された一対のフレーム部と、
該一対のフレーム部に配置され、ゴミ袋を保持するためのゴミ袋保持部と、
を備え、
前記一対のフレーム部は、第一フレーム部と、第二フレーム部とからなり、
前記収納部は、前記ゴミ袋保持部によりゴミ袋を取り付けた場合、前記ゴミ袋保持部により開口した前記ゴミ袋の口の周縁の一端を前記第一フレーム部へ、開口した前記ゴミ袋の口の周縁の他端を前記第二フレーム部へ各々取り付けることで、開口した前記ゴミ袋の口を後側よりも前側が下がるようにして傾斜した状態で保持できる食器棚。
【請求項２】
前記第一フレーム部は、前記収納部の前側に配置される前側フレーム部であると共に、前記第二フレーム部は、前記収納部の後側に配置される後側フレーム部であり、前記前側フレーム部が前記後側フレーム部より低くなるように配置され、
前記ゴミ袋保持部により開口した前記ゴミ袋の口の周縁の一端を前記前側フレーム部へ、開口した前記ゴミ袋の口の周縁の他端を前記後側フレーム部へ各々取り付けることで、前記ゴミ袋の口の周縁を保持できる請求項１に記載の食器棚。
【請求項３】
前記収納部は、前記収納部の内部空間を上下に区分けする棚板と、
線材のフレームで形成されると共に前記一対のフレーム部を有するスタンド部と、
を備え、
前記スタンド部は、前記棚板に取り付けられることによって前記一対のフレーム部を保持する請求項２に記載の食器棚。
【請求項４】
前記スタンド部は、前記棚板の下面側に取り付けられている請求項３に記載の食器棚。
【請求項５】
前記棚板は、前記一対のフレーム部より上に配置されており、
前記前側フレーム部は、前記棚板と離間した状態で、前記棚板の前端よりも前側に配置されている請求項３又は請求項４に記載の食器棚。
【請求項６】
前記ゴミ袋保持部は、前記一対のフレーム部の各フレーム部にゴミ袋を挟んで係合するためのクリップ部材であり、該クリップ部材によってゴミ袋が保持される請求項１乃至請求項５のうちいずれか一項に記載の食器棚。
【発明の詳細な説明】
【技術分野】
【０００１】
本発明は、収納空間を有する食器棚に関する。
【背景技術】
【０００２】
食器棚は、キッチンスペースの有効利用の観点から、食器棚の内部空間を利用して、ゴミを捨てるために市販の様々な形や容積のゴミ袋を任意に付け替えられることが望ましい。特許文献１の収納棚は、内部空間を有する収納部と、この収納部に互いに離間した状態で水平に配置された一対のフレーム部とを有し、この一対のフレーム部は、収納部の内部空間にゴミを収容するための袋体が開口した状態で取り付けられている。この一対のフレーム部に取り付けられた袋体は、その開口した口の周縁が水平に保持されていた。
【先行技術文献】
【特許文献】
【０００３】
【特許文献１】特開２００６−１９９４７２号公報
【発明の概要】
【発明が解決しようとする課題】
【０００４】
しかしながら、上記特許文献１の収納棚は、収納棚の内部空間に袋体を保持する場合、一対のフレーム部によりゴミ袋の口の周縁が水平に保持されているため、開口したゴミ袋の口が真上を向いていた。そのため、収納棚の正面からゴミを投入する際、ゴミ袋に向けて入れにくかった。
【０００５】
本発明は、上記の問題点を鑑み、本発明が解決しようとする課題は、食器棚において収納部内の収納空間をうまく活用しながら、ゴミ袋を収納空間に配置し、ゴミ袋にゴミの投入をしやすくすることにある。
【課題を解決するための手段】
【０００６】
本発明の食器棚は、面に囲まれた内部空間を有する収納部と、この収納部に互いに離間した状態で平行に配置された一対のフレーム部と、この一対のフレーム部に配置され、ゴミ袋を保持するためのゴミ袋保持部とを備える。一対のフレーム部は、第一フレーム部と、第二フレーム部とからなり、収納部は、ゴミ袋保持部によりゴミ袋を取り付けた場合、ゴミ袋保持部により開口したゴミ袋の口の周縁の一端を第一フレーム部へ、開口したゴミ袋の口の周縁の他端を第二フレーム部へ各々取り付けることで、開口したゴミ袋の口を後側よりも前側が下がるようにして傾斜した状態で保持できる。
【０００７】
この場合、開口したゴミ袋の口を後側よりも前側が下がるようにして、前後に傾斜した状態で保持できるので、収納部内の収納空間をうまく活用し、食器棚の正面からゴミを入れる場合には、開口したゴミ袋の口が前側に向けられており、ゴミの投入がしやすくなる。
【０００８】
この食器棚では、第一フレーム部は、収納部の前側に配置される前側フレーム部であると共に、第二フレーム部は、収納部の後側に配置される後側フレーム部であり、前側フレーム部が後側フレーム部より低くなるように配置され、ゴミ袋保持部により開口したゴミ袋の口の周縁の一端を前側フレーム部へ、開口した前ゴミ袋の口の周縁の他端を前後側フレーム部へ各々取り付けることで、ゴミ袋の口の周縁を保持できる。
【０００９】
この場合、前側フレーム部と後側フレーム部によって前後に傾斜した状態でゴミ袋の口の周縁を保持できるので、食器棚の正面からゴミを入れる場合には、開口したゴミ袋の口の前側と後側が安定しており、ゴミ袋にゴミを捨てやすい。
【００１０】
またこの食器棚では、収納部は、収納部の内部空間を上下に区分けする棚板と、線材のフレームで形成されると共に一対のフレーム部を有するスタンド部と、を備え、スタンド部は、棚板に取り付けられることによって一対のフレーム部を保持することが好ましい。
【００１１】
この場合、収納部の内部空間を上下に区分けする棚板に一対のフレーム部を有するスタンド部が取り付けられ、棚板に固定された一対のフレーム部に傾斜した状態でゴミ袋が保持できるので、食器棚の正面から入れる場合には、ゴミ袋の口が棚板に固定された一対のフレーム部にゴミ袋が安定して保持されており、ゴミ袋にゴミを捨てやすい。
【００１２】
またこの食器棚では、スタンド部は、棚板の下面側に取り付けられていることが好ましい。この場合、棚板の下面側にスタンド部が取り付けられるので、棚板の下方の収納部の内部空間を有効利用しながら、ゴミ袋を安定的に保持できる。
【００１３】
またこの食器棚では、棚板は、一対のフレーム部より上に配置されており、前側フレーム部は、棚板と離間した状態で、棚板の前端よりも前側に配置されていることが好ましい。この場合、前側フレーム部は、棚板と離間した状態で、棚板の前端よりも前側に配置されているので、前側フレーム部と棚板との隙間を活用することができ、さらに、ゴミの投入がしやすくなる。
【００１４】
またゴミ袋保持部は、一対のフレーム部の各フレーム部にゴミ袋を挟んで係合するためのクリップ部材であり、このクリップ部材によってゴミ袋が保持されることが好ましい。
この場合、クリップ部材によってゴミ袋がフレームに保持できるので、さらに、ゴミ袋の口が安定する。
【発明の効果】
【００１５】
本発明によれば、食器棚において収納部内の収納空間をうまく活用しながら、ゴミ袋を収納空間に配置し、ゴミ袋にゴミの投入がしやすくなる。
【図面の簡単な説明】
【００１６】
【図１】第１の実施形態に係る食器棚の部分断面正面図である。
【図２】図１に示される食器棚の部分断面側面図である。
【図３】図１及び図２に示される食器棚の引き出し部を示した斜視図である。
【図４】図３に示される引き出し部にゴミ袋を設置した状態で示した斜視図である。
【図５】図３及び図４に示されるスタンドの斜視図である。
【図６】図５に示されるクリップを拡大して示した斜視図である。
【図７】図６に示されるクリップの長手方向に直交する断面図である。
【図８】クリップの別例を示した斜視図である。
【図９】第２の実施形態に係るスタンドを示した斜視図である。
【図１０】図９に示されるマグネットクリップを拡大して示した斜視図である。
【図１１】第３の実施形態に係る食器棚の正面図である。
【図１２】図１１に示される食器棚の部分断面側面図である。
【図１３】図１１及び図１２に示される食器棚の収納部を示した斜視図である。
【図１４】図１１〜図１３に示される収納部にゴミ袋を設置した状態で示した斜視図である。
【図１５】図１１〜図１４に示されるスタンドの斜視図である。
【図１６】第４の実施形態に係る食器棚の収納部を示した斜視図である。
【図１７】第５の実施形態に係る食器棚の収納部を示した斜視図である。
【図１８】図１７に示される食器棚の収納部を部分的に拡大して示した斜視図である。
【図１９】第６の実施形態に係る食器棚の収納部を部分的に拡大して示した斜視図である。
【図２０】第７の実施形態に係る食器棚の収納部を部分的に拡大して示した斜視図である。
【図２１】第８の実施形態に係る食器棚の収納部を部分的に拡大して示した斜視図である。
【図２２】第９の実施形態に係る食器棚の収納部を部分的に拡大して示した斜視図である。
【図２３】第１０の実施形態に係る食器棚の正面図である。
【図２４】図２３に示される食器棚の断面図である。
【図２５】図２３及び図２４に示される食器棚の収納部を示した斜視図である。
【図２６】図２３〜図２５に示される棚板に設置されたスタンドの斜視図である。
【図２７】第１１の実施形態に係る食器棚の収納部を示した斜視図である。
【図２８】図２７に示される棚板に設置されたスタンドの斜視図である。
【図２９】第１２の実施形態に係る食器棚の収納部を示した斜視図である。
【図３０】図２９に示される棚板に設置されたスタンドの斜視図である。
【発明を実施するための形態】
【００１７】
第１の実施形態について説明する。本実施形態の食器棚１は、主に食器を収納するためのものであり、キッチン等に設置されている。なお、各図において示される上下や前後左右の矢印は、食器棚１を正面視で見て、手前側を「前」、奥側を「後」とし、それに応じて上下や左右を示している。
【００１８】
図１及び図２に示される食器棚１は、全体が箱状に形成されており、内部空間を有する。食器棚１は、上部に配置されて、食器等を収納するための上部収納部３と、中間部に配置されて、食器等を置くためのテーブル５と、下部に配置されて、食器等を収納するための下部収納部２を有する。
【００１９】
図１に示される上部収納部３は、食器棚１の上部に形成される内部空間３０を有している。また上部収納部３は、正面視で左右方向にスライドして開閉する引き戸３２と、食器等を載置するための上部収納用底板３４とを備える。引き戸３２は、２つの平板状の部材で形成されている。引き戸３２は、開いた状態で、内部空間３０に通じている。その内部空間３０には、食器等を収納することができる。上部収納用底板３４は、板状に形成された部材である。その上部収納用底板３４の裏面は、対向してテーブル５の上面が配置されている。
【００２０】
テーブル５は、図１及び図２に示すように上面視で矩形状に形成された平板の部材である。テーブル５は、食器やその他小物等を配置するためのものである。テーブル５の側端は、上方に向けて配置された側板の壁面７に接続されており、上部収納部３側まで壁面７が連続して形成されている。食器棚１の中間部は、上部収納用底板３４の裏面と、左右両端の壁面７の下部内面と、テーブル５の表（上）面と、テーブル５の後（奥）側の上下方向に面が形成される奥壁面部９との、５面で囲まれており、前（手前）側が開口するようにして配置されている。テーブル５は、下部収納部２の上方向に隣接して配置されている。
【００２１】
下部収納部２は、図１及び図２に示すように、引き出し部２１、２３、２５、２７、２９を備える。下部収納部２のうち、引き出し部２１、２３、２５、２７は、食器等を収納するためのものである。引き出し部２１、２３、２５、２７は、スライド部材（図示しない）を介して前後方向にスライドして開閉可能に形成されている。引き出し部２１、２３、２５、２７は、各引き出し部２１、２３、２５、２７が開いた状態で開口を有しており、箱状に形成されている。引き出し部２１、２３、２５は、上から下に向けてこの順に配置されている。引き出し部２７は、引き出し部２１の左（横）方向に隣接して配置されている。引き出し部２９は、主にゴミを収納するためのものである。引き出し部２９は、引き出し部２７の下方向に隣接して配置されており、引き出し部２３及び引き出し部２５の左右方向に隣接して配置されている。
【００２２】
引き出し部２９は、図１〜図４に示すようにその外周が、主に面材で構成される。引き出し部２９は、図３に示すように上方（上面）と左右（横）面とが開口し、箱状に形成されている。その開口によって、引き出し部２９が開いた状態で、側面視及び上面視で引き出し部２９の収納空間Ｓが視認可能に形成されている。引き出し部２９は、この引き出し部２９の内部空間２０に収容され、上方が開口した収納空間Ｓを有している。引き出し部２９は、その収納空間Ｓを囲う後面部１２と、前面部１４と、側面部１５、１５と、底面部１９を備える。後面部１２は、その左右両端が側面部１５、１５の後端に隣接して配置されている。前面部１４は、その左右両端が側面部１５、１５の前端に隣接して配置されている。側面部１５、１５は、その前端が前面部１４と隣接して配置され、その後端が後面部１２と隣接して配置されている。底面部１９は、その前端が前面部１４と隣接して配置され、その後端が後面部１２と隣接して配置され、その左右両端が側面部１５、１５と隣接して配置されている。
【００２３】
後面部１２は、図２〜図４に示すように引き出し部２９の後端を形成する部位である。後面部１２は、板状の面材で形成されている。その面材は、その面が垂直方向に立てられた状態で配置されている。後面部１２の上端は、前面部１４の上端よりも低くなるように配置されている。
【００２４】
前面部１４は、図２〜図４に示すように引き出し部２９の前端を形成する部位である。前面部１４は、板状の面材で形成されており、前面部１４の前側（表側）は、引き出し部２９の外観の意匠面を形成している。前面部１４の上端は、引き出し部２７の下端と隣接して配置されている。前面部１４の下端は、食器棚１が載置された設置面に近接して配置されている。前面部１４の上端は、後面部１２の上端よりも高くなるように配置されている。なお前面部１４の上端は、引き出し部２９を開閉するための取っ手１３が設けられている。
【００２５】
側面部１５、１５は、図２〜図４に示すように引き出し部２９の側面を形成する部位である。側面部１５、１５は、棒状の部材で形成される側上部１６と、板状の部材で形成される側下部１８とを備える。側上部１６は、側面部１５、１５の略中央部に配置される部位である。側上部１６は、引き出し部２９の形状を維持し補強するための部位である。側上部１６は、後面部１２の側端部と、前面部１４の側端部とに連結されている。側上部１６は、側下部１８より上に配置されており、側上部１６と側下部１８とは離間した状態で平行に配置されている。
【００２６】
図３及び図４に示される側下部１８は、さまざまな引き出しに用いられる共通の規格品であり、引き出し部２９全体の形状を維持するものである。側下部１８は、側面部１５、１５の下部に配置される部位である。側下部１８は、後面部１２の下端部と、前面部１４の下端部とに連結されている。側上部１６と、側下部１８とは、間隔をおいて配置されているため、その側上部１６と、側下部１８との間から側面部１５、１５側から見て引き出し部２９の内部が視認可能に形成されている。
【００２７】
底面部１９は、図２及び図３に示すように引き出し部２９の底面を形成する部位である。底面部１９は、平面視で矩形状に形成され、断面視で平板状に形成されている。底面部１９の上面には、ゴミ袋７０を保持するためのスタンド５０が配置されている。
【００２８】
図１〜図４に示される引き出し部２９は、前後方向に移動可能であり、側下部１８に内蔵されたスライドレール（図示しない）によってスライドして開閉可能に形成されている。引き出し部２９の収納空間Ｓにゴミ袋７０を設置した場合、ゴミ袋７０は、その口を開口させてゴミ袋７０の内部空間を確保される。またゴミ袋７０は、クリップ５６に保持した状態で引き出し部２９を開閉した場合、ゴミ袋７０の内部空間がその開閉と共に移動できる。
【００２９】
引き出し部２０に備えられたスタンド５０は、図１〜図５に示すように引き出し部２９の収納空間Ｓに設置され、線材のフレームを曲げて形成されている。スタンド５０は、後側縦フレーム５２と、前側縦フレーム５３と、側（前後）フレーム５８と、底フレーム５１と、上端（左右）フレーム５４とを備える。
【００３０】
後側縦フレーム５２は、図３〜図５に示すように引き出し部２９の後側（奥側）に配置されると共に、上下方向に棒状に形成され、左右（横）方向に一対互いに離間した状態で平行に配置されている。前側縦フレーム５３は、引き出し部２９の前側（手前側）に配置されると共に、上下方向に棒状に形成され、左右（横）方向に一対互いに離間した状態で略平行に配置されている。側フレーム５８は、前後方向に棒状に形成され、左右に一対互いに離間した状態で略平行に配置されている。側フレーム５８は、引き出し部２９の底面部１９の上面に配置され、引き出し部２９の側面部１５、１５の側下部１８に隣接して配置されている。側フレーム５８は、滑り止め５５を備える。滑り止め５５は、一対の側フレーム５８の各々２個ずつ取り付けられ、各側フレーム５８の前後に１個ずつ取り付けられている。滑り止め５５は、筒状に形成された樹脂製の部材である。底フレーム５１は、左右方向に棒状に形成されている。底フレーム５１の両端は、一対の側フレーム５８の略中央部分に各々連結されている。側フレーム５８と、後側縦フレーム５２及び前側縦フレーム５３とは鈍角に折り曲げられて形成されている。そうすることで、側フレーム５８と、後側縦フレーム５２及び前側縦フレーム５３とが垂直又は鋭角に折り曲げられて形成されている場合よりも、離間して配置された後述する一対の上端フレーム５４の間隔が、広くなるように配置されている。
【００３１】
上端フレーム５４は、各フレームのうち主にゴミ袋７０を保持するための部位である。上端フレーム５４は、図３及び図４に示すように引き出し部２９の左右方向の一端側から他端側にかけて連続して形成されている。一方が引き出し部２９の収納空間Ｓの前面部１４側に配置されており、他方が引き出し部２９の収納空間Ｓの後面部１２側に配置されている。即ち、上端フレーム５４は、引き出し部２９の外輪郭の内側に配置されている。なお一対の上端フレーム５４は、本発明の「一対のフレーム部」に相当する。
【００３２】
一対の上端フレーム５４は、図３〜図５に示すように前側フレーム部５４ａと、後側フレーム部５４ｂとを備える。一対の上端フレーム５４は、前側フレーム部５４ａと、後側フレーム部５４ｂとの各フレームが前後に離間した状態で略平行に配置されており、互いに略水平に配置されている。前側フレーム部５４ａは、前面部１４の上端よりも低い位置に配置され、後側フレーム部５４ｂは、後面部１２の上端よりも高い位置に配置されている。また前側フレーム部５４ａは、後側フレーム部５４ｂより低くなるように配置されている。また一対の上端フレーム５４は、ゴミ袋７０を保持するためのクリップ５６を備える。クリップ５６は、一対の上端フレーム５４に各々係合してゴミ袋７０を保持している。ゴミ袋７０は、開口するための口を有する袋状のビニール製の部材であり、ゴミを収容するためのものである。またゴミ袋７０は、ゴミの入れ具合により形状が変更できる。またゴミ袋７０は、紙製、布製等の他の素材で形成してもよい。なおクリップ５６は、本発明の「ゴミ袋保持部」に相当する。
【００３３】
クリップ５６は、図３〜図７に示すように一対の上端フレーム５４の前側フレーム部５４ａと、後側フレーム部５４ｂとに、各々４つ横並びに配置されている。前後に対向する位置に配置されているクリップ５６により、開口したゴミ袋７０の口の周縁の一端を前側フレーム部５４ａへ、開口したゴミ袋７０の口の周縁の他端を後側フレーム部５４ｂへ各々係合して取り付けられる。そうすることで、開口したゴミ袋７０の口を後側よりも前側が下がるようにして、張設しながら、傾斜した状態で保持できる。クリップ５６は、樹脂製の部材であり、長手方向の長さは、１０ｃｍ〜３０ｃｍ程度で形成されている。またクリップ５６は、断面視で略Ｃ字状に形成されている。そのクリップ５６の略Ｃ字状に形成された凹み５６ｃ側は、凹み５６ｃの中央へ案内し易くするためのガイド部５６ｂ、５６ｂ、５６ｂが設けられている。ガイド部５６ｂ、５６ｂは、クリップ５６の内部から外部に向けて開口が広くなるように略ハの字の面を形成している。そのガイド部５６ｂ、５６ｂである略ハの字面に上端フレーム５４をあてて、クリップ５６の凹み５６ｃ中央へクリップ５６を弾性変形しながら、嵌め込むことで、係合される。クリップ５６を嵌め込みながらゴミ袋７０を取り付ける場合、上端フレーム５４との間にゴミ袋７０の口の周縁を挟んだ状態で、クリップ５６を係合することで、ゴミ袋７０が保持される。その際には、一対の上端フレーム５４間の内側から外側に向けてゴミ袋７０の口の周縁は、各上端フレーム５４の上側から巻きつけられるようにして保持される。クリップ５６の外周方向に間隔を置いて突起５６ａが複数箇所配置されている。突起５６ａは、クリップ５６の長手方向の一端側から他端側までラインを形成するように連続して形成されている。その突起５６ａによって滑り止めの機能を有しており、ゴミ袋７０が取り外し易くなっている。
【００３４】
第１の実施形態は、以下のような作用効果を有する。本実施形態の食器棚１において、一対の上端フレーム５４（フレーム部）は、前側フレーム５４部ａ（第一フレーム部）と、後側フレーム部５４ｂ（第二フレーム部）とからなり、引き出し部２９（収納部）は、クリップ５６（ゴミ袋保持部）によりゴミ袋７０を取り付けた場合、クリップ５６により開口したゴミ袋７０の口の周縁の一端を前側フレーム部５４ａへ、開口したゴミ袋の口の周縁の他端を後側フレーム部５４ｂへ各々取り付けることで、開口したゴミ袋７０の口を後側よりも前側が下がるようにして傾斜した状態で保持できる。
【００３５】
そうすることで、開口したゴミ袋７０の口を後側よりも前側が下がるようにして、前後に傾斜した状態で保持できるので、引き出し部２９内の収納空間をうまく活用し、食器棚１の正面からゴミを入れる場合には、開口したゴミ袋７０の口が前側に向けられており、ゴミの投入がしやすくなる。また前側フレーム部５４ａと後側フレーム部５４ｂとによって前後に傾斜した状態でゴミ袋７０の口の周縁を保持できるので、食器棚１の正面からゴミを入れる場合には、開口したゴミ袋７０の口の前側と後側が安定しており、さらにゴミ袋にゴミを捨てやすくなる。
【００３６】
またこの食器棚１では、前側フレーム部５４ａは、引き出し部２９の前側に配置されると共に、後側フレーム部５４ｂは、引き出し部２９の後側に配置されており、前側フレーム部５４ａが後側フレーム部５４ｂより低くなるように配置され、クリップ５６により開口したゴミ袋７０の口の周縁の一端を前側フレーム部５４ａへ、開口したゴミ袋７０の口の周縁の他端を後側フレーム部５４ｂへ各々取り付けることで、ゴミ袋７０の口を張設しながら、傾斜した状態で保持できる。
【００３７】
そうすることで、開口したゴミ袋７０の口の周縁の他端を後側フレーム部５４ｂへ各々取り付けることで、ゴミ袋７０の口を張設しながら、傾斜した状態で保持できるので、食器棚１の正面から入れる場合には、前後に張設したゴミ袋７０の口が安定しており、ゴミ袋７０にゴミを捨てやすい。
【００３８】
さらにこの食器棚１では、クリップ５６は、一対の上端フレーム５４の各フレーム部にゴミ袋７０を挟んで係合するためのクリップ部材であり、このクリップ５６によってゴミ袋７０が保持される。そうすることで、クリップ５６によってゴミ袋７０が保持できるので、さらに、ゴミ袋７０の口が安定する。
【００３９】
次に図８に示される別例について説明する。別例のクリップ５６０の特徴とする点は、クリップ５６に代えて、クリップ５６０を用いて点である。クリップ５６０は、樹脂製の部材であり、長手方向の長さは、１０ｃｍ〜３０ｃｍ程度で形成されている。またクリップ５６０は、断面視で略Ｈ字状に形成されている。クリップ５６０は、凹部５６０ｃ、５６０ｄを有する。凹部５６０ｃは、一対の上端フレーム５４の各部位に、凹部５６０ｃと、各上端フレーム５４の外周との間にゴミ袋７０を挟んで係合し、ゴミ袋７０を保持するために設けられた部位である。凹部５６０ｄは、人が握った際に、その凹みの幅を狭くしながら、クリップ５６０を取り外すために設けられたものである。その幅を狭くするための握り部５６０ｂは、クリップ５６０の凹部５６０ｄ側に設けられている。握り部５６０ｂは、クリップ５６０の略Ｈ字状に形成された一端側の２箇所の部位であり、その部位は、略ハの字で形成されている。クリップ５６０は、凹部５６０ｃにより挟んで係合されたゴミ袋７０を取り外す場合、クリップ５６０の凹部５６０ｄ側に形成された握り部５６０ｂを人が握ることで、凹部５６０ｄの間隔が狭くなると同時に、凹部５６０ｃの間隔が広くなり、ゴミ袋７０の係合された状態が解除されて上端フレーム５４から取り外すことができる。クリップ５６０の外周には、その外周に沿って突起５６０ａが複数箇所配置されている。これらの突起５６０ａは、クリップ５６０の長手方向の一端側から他端側までラインを形成するように連続して形成されている。その突起５６０ａによって滑り止めの機能を有しており、その部位を持つことによってゴミ袋７０が取り外し易くなっている。なおクリップ５６０は、本願特許請求の範囲の「ゴミ袋保持部」に相当する。
【００４０】
別例は、以下のような作用効果を奏する。クリップ５６０は、ゴミ袋７０を一対の上端フレーム５４（１０４）に係合するための凹部５６０ｃと、ゴミ袋７０を一対の上端フレーム５４に係合された状態を解除するための凹部５６０ｄを有する。そうすることで、クリップ５６０は、凹部５６０ｃにより挟んで係合されたゴミ袋７０を取り外す場合、クリップ５６０の凹部５６０ｄ側を人が握ることで、ゴミ袋７０の係合された状態が解除されて、上端フレーム５４から取り外すことができる。
【００４１】
次に図９及び図１０に示される第２の実施形態について説明する。第２の実施形態の食器棚１は、特徴とする点は、第１の実施形態におけるスタンド５０及びクリップ５６に対して、図８に示すスタンド８０及びマグネットバー８６に代えた点である。その他構成は、第１の実施形態の食器棚１とほぼ同一の基本構成を備えるため、共通の構造は、同一又は対応する符号を付す等して詳細な説明を省略する。このことは、後述する他の変形例においても同様である。
【００４２】
図９に示されるスタンド８０は、ゴミ袋７０を保持するためのものである。スタンド８０は、曲げられた線材のフレームで形成されており、図１〜図４に示される引き出し部２９の底面部１９に載置されて収納空間Ｓに設置される。スタンド８０は、後側縦フレーム８２と、前側縦フレーム８３と、側（前後）フレーム８８と、底フレーム８１と、上端（左右）フレーム８４とを備える。
【００４３】
後側縦フレーム８２は、図１〜図４に示すように引き出し部２９の後側（奥側）に配置されると共に、上下方向に棒状に形成され、左右に一対離間して略平行に配置されている。前側縦フレーム８３は、引き出し部２９の前側（手前側）に配置されると共に、上下方向に棒状に形成され、左右に一対離間した状態で略平行に配置されている。側フレーム８８は、前後方向に棒状に形成され、左右に一対離間した状態で略平行に配置されている。側フレーム８８は、引き出し部２９の底面部１９の上面に配置され、引き出し部２９の側面部１５、１５の側下部１８に隣接して配置されている。側フレーム８８は、滑り止め８５を備える。滑り止め８５は、一対の側フレーム８８の各々２個ずつ取り付けられ、各側フレーム８８の前後に１個ずつ取り付けられている。滑り止め８５は、筒状に形成された樹脂製の部材である。底フレーム８１は、左右方向に棒状に形成されている。底フレーム８１の両端は、一対の側フレーム８８の略中央部分に各々連結されている。側フレーム８８と、後側縦フレーム８２及び前側縦フレーム８３とは略垂直に折り曲げられて形成されている。それに伴い後側縦フレーム８２と、前側縦フレーム８３とは、略平行に配置されている。
【００４４】
上端フレーム８４は、マグネットがつく金属製の部材であり、各フレームのうち主にゴミ袋７０を保持するための部位である。上端フレーム８４は、図１〜図４に示される引き出し部２９の左右方向の一端側から他端側にかけて連続して形成されている。上端フレーム８４は、一対配置されている。上端フレーム８４は、一方が引き出し部２９の収納空間Ｓの前面部１４側に配置されており、他方が引き出し部２９の収納空間Ｓの後面部１２側に配置されている。即ち、上端フレーム８４は、引き出し部２９の外輪郭の内側に配置されている。
【００４５】
一対の上端フレーム８４は、図９に示すように前側フレーム部８４ａと、後側フレーム部８４ｂとを備える。一対の上端フレーム８４は、前側フレーム部８４ａと、後側フレーム部８４ｂとの各フレームが前後に略平行に配置されており、互いに略水平に配置されている。前側フレーム部８４ａは、前面部１４の上端よりも低い位置に配置され、後側フレーム部８４ｂは、後面部１２の上端よりも高い位置に配置されている。また前側フレーム部８４ａは、後側フレーム部８４ｂより低くなるように配置されている。また一対の上端フレーム８４は、ゴミ袋７０を保持するためのマグネットバー８６を備える。なおマグネットバー８６は、本発明の「ゴミ袋保持部」に相当する。
【００４６】
マグネットバー８６は、図９及び図１０に示すように前側フレーム部８４ａと、後側フレーム部８４ｂとに、各々４つ横並びに配置されている。前後に対向する位置に配置されているマグネットバー８６により、開口したゴミ袋７０の口の周縁の一端を前側フレーム部８４ａへ、開口したゴミ袋７０の口の周縁の他端を後側フレーム部８４ｂへ各々接合して取り付けることで、ゴミ袋７０の口を張設しながら、傾斜した状態で保持できる。マグネットバー８６は、棒状に形成されたマグネット８６ｂを有する部材であり、長手方向の長さは、１０ｃｍ〜３０ｃｍ程度で形成されている。またマグネットバー８６は、断面視で略台形状に形成されている。マグネットバー８６は、一対の上端フレーム８４にゴミ袋７０を間に挟んだ状態で、各々接合してゴミ袋７０を保持している。マグネットバー８６の外周の１面は、マグネット８６ｂが配置されている。そのマグネット８６ｂは、マグネットバー８６の凹部に埋め込まれて形成されており、マグネットバー８６の長手方向の一端側から他端側にかけて連続して配置されている。マグネット８６ｂは、マグネットバー８６の長手方向の長さと略同じに長さで形成されている。このマグネット８６ｂが埋め込まれた側の面に隣接したマグネットバー８６の外周の２辺（２面）、突起８６ａがマグネットバー８６の外周方向に間隔をおいて複数箇所配置されている。突起８６ａは、マグネットバー８６の長手方向の一端側から他端側までラインを形成するように連続して形成されている。その突起８６ａによって滑り止めの機能を有しており、ゴミ袋７０が取り外し易くなっている。
【００４７】
第２の実施形態は、以下のような作用効果を有する。この食器棚では、マグネットバー８６は、一対の上端フレーム８４の各フレーム部にゴミ袋７０を挟んで接合するためのマグネット部材であり、このマグネット部材によってゴミ袋７０が保持される。そうすることで、マグネット部材によってゴミ袋７０が保持できるので、ゴミ袋７０の口が安定する上、ゴミ袋７０の取り付け取り外しが容易になる。
【００４８】
次に図１１及び図１２に示される第３の実施形態について説明する。第３の実施形態の特徴とする点は、引き出しタイプの食器棚１（下部収納部２）に代えて、オープンタイプの収納空間を有した食器棚１ａ（下部収納部２ａ）を用いた点である。第３の実施形態の食器棚１ａは、上部に配置されて、食器等を収納するための上部収納部３と、中間部に配置されて、食器等を置くためのテーブル５と、下部に配置されて、食器等を収納するための下部収納部２ａを有する。
【００４９】
下部収納部２ａは、図１１に示すように引き出し部２１ａ、２３ａ、２５ａと、収納部２８とを備える。下部収納部２ａのうち、引き出し部２１ａ、２３ａ、２５ａは、食器を収納するためのものである。引き出し部２１ａ、２３ａ、２５ａは、スライド部材（図示しない）を介して前後方向にスライドして開閉可能に形成されている。収納部２８は、前（手前）側に開口を有し、面に囲まれた収納空間２０ａを有する。引き出し部２１ａ、２３ａ、２５ａは、上からこの順に配置されている。収納部２８は、主にゴミを収納するためのものである。収納部２８は、テーブル５の下方向に隣接して配置されており、引き出し部２１ａ引き出し部２３ａ及び引き出し部２５ａの左右方向に隣接して配置されている。収納部２８は、ゴミ袋７０を保持するためのスタンド２５０を備える。
【００５０】
スタンド２５０は、図１１〜図１４に示すように収納部２８の収納空間２０ａに設置され、曲げられた線材のフレームで形成されている。スタンド２５０は、下部収納部２ａの中央の壁面を形成している下部中壁部１１０と、収納部２８の奥側の壁面を形成している下部奥壁部１２０と、食器棚１の左右方向における外側壁面のうち下方の外側壁面を形成している下部側壁部１３０とに近接して配置されている。スタンド２５０は、図１３〜１７に示すように後側縦フレーム２５２と、前側縦フレーム２５３と、側（前後）フレーム２５８と、底フレーム２５１と、上端（左右）フレーム２５４と、前後補強フレーム２５９、左右（横）補強フレーム２６０とを備える。
【００５１】
後側縦フレーム２５２は、図１１〜図１３に示すように収納部２８の後側（奥側）に配置されると共に、上下方向に棒状に形成され、左右（横）方向に一対互いに離間した状態で略平行に配置されている。前側縦フレーム２５３は、収納部２８の前側（手前側）に配置されると共に、上下方向に棒状に形成され、左右（横）方向に一対互いに離間した状態で略平行に配置されている。側フレーム２５８は、前後方向に棒状に形成され、左右に一対互いに離間した状態で略平行に配置されている。側フレーム２５８は、下部側壁部１３０と、下部中壁部１１０とに隣接して配置されている。また側フレーム２５８は、収納部２８の底面上に配置されている。さらに側フレーム２５８は、滑り止め２５５を備える。滑り止め２５５は、一対の側フレーム２５８の各々２個ずつ取り付けられ、各側フレーム２５８の前後に１個ずつ取り付けられている。滑り止め２５５は、筒状に形成された樹脂製の部材である。底フレーム２５１は、左右方向に棒状に形成されている。底フレーム２５１の両端は、一対の側フレーム２５８の略中央部分に各々連結されている。側フレーム２５８と、後側縦フレーム２５２及び前側縦フレーム２５３とは鈍角に折り曲げられて形成されている。そうすることで、側フレーム２５８と、後側縦フレーム２５２及び前側縦フレーム２５３とが垂直又は鋭角に折り曲げられて形成される場合よりも、離間して配置された一対の上端フレーム２５４の間隔は、広くなるように配置されている。
【００５２】
上端フレーム２５４は、各フレームのうち主にゴミ袋７０を保持するための部位である。上端フレーム２５４は、図１１〜図１３に示すように収納部２８の左右方向の一端側から他端側にかけて連続して形成されている。上端フレーム２５４は、一方が収納部２８の収納空間２０ａ内の開口側に配置されており、他方が収納部２８の収納空間２０ａ内の下部奥壁部１２０側に配置されている。
【００５３】
一対の上端フレーム２５４は、図１１〜図１３に示すように前側フレーム部２５４ａと、後側フレーム部２５４ｂとを備える。一対の上端フレーム２５４は、前側フレーム部２５４ａと、後側フレーム部２５４ｂとの各フレームが前後に離間した状態で略平行に配置されており、互いに略水平に配置されている。前側フレーム部２５４ａは、収納部２８の上下方向の中央よりも低い位置に配置され、後側フレーム部２５４ｂは、収納部２８の上上下方向の略中央に配置されている。また前側フレーム部２５４ａは、後側フレーム部２５４ｂより低くなるように配置されている。また一対の上端フレーム２５４は、ゴミ袋７０を保持するためのクリップ５６を備える。クリップ５６は、一対の上端フレーム２５４に各々係合してゴミ袋７０を保持している。
【００５４】
前後補強フレーム２５９は、図１２〜図１５に示すようにスタンド２５０の形状を維持するために補強するためのものである。前後補強フレーム２５９は、前後方向に棒状に形成され、左右（横）方向に一対互いに離間した状態で略平行に配置されている。
【００５５】
左右補強フレーム２６０は、図１３及び図１５に示すようにスタンド２５０の形状を維持するために補強するためのものであり、またゴミ袋７０を取り付けるためのものである。左右補強フレーム２６０は、後側フレーム部２５４ｂの下方に、後側フレーム部２５４ｂと略平行に離間した状態で配置されている。また左右補強フレーム２６０は、前側フレーム部２５４ａと略平行に離間した状態で配置されている。左右補強フレーム２６０と、前側フレーム部２５４ａとは略同じ高さに配置されている。左右補強フレーム２６０は、前側フレーム部２５４ａと共にクリップ５６、５６により係合することによってゴミ袋７０を保持できる。左右補強フレーム２６０と、前側フレーム部２５４ａとによりゴミ袋７０をクリップ５６により保持する場合、開口したゴミ袋７０の口は水平状態で保持ができる。
【００５６】
クリップ５６は、図１１〜図１４に示すように一対の上端フレーム２５４の前側フレーム部２５４ａと、後側フレーム部２５４ｂとに、各々４つ横並びに配置されている。前後に対向する位置に配置されているクリップ５６により、開口したゴミ袋７０の口の周縁の一端を前側フレーム部２５４ａへ、開口したゴミ袋７０の口の周縁の他端を後側フレーム部２５４ｂへ各々係合して取り付けられる。そうすることで、開口したゴミ袋７０の口を後側よりも前側が下がるようにして、張設しながら、傾斜した状態で保持できる。その際、ゴミ袋７０の口の周縁は、一対の上端フレーム２５４間の内側から外側に向けて、各上端フレーム２５４の上側から巻きつけられるようにしてクリップ５６により保持される。
【００５７】
またクリップ５６は、図１５に示すように前側フレーム部２５４ａと、後側フレーム部２５４ｂとに配置されてゴミ袋７０を保持することができる。また一方で、クリップ５６は、前側フレーム部２５４ａと、左右補強フレーム２６０とに配置されてゴミ袋７０を保持することができる。前側フレーム部２５４ａと、左右補強フレーム２６０とに配置されるゴミ袋７０は、前後に対向する位置に配置されているクリップ５６により、開口したゴミ袋７０の口の周縁の一端を前側フレーム２５４ａへ、開口したゴミ袋７０の口の周縁の他端を左右補強フレーム２６０へ各々係合して取り付けられる。そうすることで、開口したゴミ袋７０の口を、張設しながら、水平状態で保持できる。したがって、スタンド部５０は、前側フレーム部２５４ａと、後側フレーム部２５４ｂとにより開口したゴミ袋７０の口を傾斜した状態で保持ができ、また同時に、前側フレーム部２５４ａと、左右補強フレーム２６０とにより開口したゴミ袋７０の口を水平にした状態で別々のゴミ袋７０で保持ができる。
【００５８】
第３の実施形態は、以下のような作用効果を有する。一対の上端フレーム２５４は、前側フレーム部２５４ａと、後側フレーム部２５４ｂとからなり、収納部２８は、クリップ５６（ゴミ袋保持部）によりゴミ袋７０を取り付けた場合、クリップ５６により開口したゴミ袋７０の口の周縁の一端を前側フレーム部２５４ａへ、開口したゴミ袋７０の口の周縁の他端を後側フレーム部２５４ｂへ各々取り付けることで、開口したゴミ袋７０の口を後側よりも前側が下がるようにして傾斜した状態で保持できるので、収納部２８内の収納空間２０ａをうまく活用し、食器棚１ａの正面からゴミを入れる場合には、開口したゴミ袋７０の口が前側に向けられており、ゴミの投入がしやすくなる。さらに、前側フレーム部２５４ａと後側フレーム部２５４ｂによって前後に傾斜した状態でゴミ袋７０の口の周縁を保持できるので、食器棚１ａの正面からゴミを入れる場合には、開口したゴミ袋７０の口の前側と後側が安定しており、さらにゴミ袋７０にゴミが捨てやすくなる。
【００５９】
この食器棚１ａでは、スタンド２５０は、前側フレーム部２５４ａと、後側フレーム部２５４ｂとにより開口したゴミ袋７０の口を傾斜した状態で保持ができ、また同時に、前側フレーム部２５４ａと、左右補強フレーム２６０とにより開口したゴミ袋７０の口を水平にした状態で別々のゴミ袋７０で保持ができるので、ゴミ袋７０の大きさや種類に応じて適宜、水平にゴミ袋７０を配置したり、傾斜した状態でゴミ袋７０を配置したりすることできる。また異なる大きさのゴミ袋を別々に配置できる上、各々ゴミ袋の口の角度を変えて同時に設置できるため、必要に応じて、ゴミ袋の口を傾斜させるか水平にさせるかを適宜選択して収納空間を利用できる。
【００６０】
次に図１６に示される第４の実施形態について説明する。第４の実施形態の特徴とする点は、第３の実施形態のゴミ袋７０を保持するためのスタンド２５０を、スタンド２８０に代えた点である。図１６に示されるスタンド２８０は、ゴミ袋７０を保持するためのものである。スタンド２８０は、収納部２８の収納空間２０ｂに設置され、曲げられた線材のフレームで形成されている。スタンド２８０は、下部収納部２ａの中央の壁面を形成している下部中壁部１１０と、収納部２８の奥側の壁面を形成している下部奥壁部１２０と、食器棚１ａの左右方向における外側壁面のうち下方の外側壁面を形成している下部側壁部１３０とに近接して配置されている。スタンド２８０は、後側縦フレーム２８２と、前側縦フレーム２８３と、側（前後）フレーム２８８と、底フレーム２８１と、上端（左右）フレーム２８４とを備える。
【００６１】
後側縦フレーム２８２は、図１６に示すように収納部２８の後側（奥側）に配置されると共に、上下方向に棒状に形成され、左右（横）方向に一対互いに離間した状態で略平行に配置されている。前側縦フレーム２８３は、収納部２８の前側（手前側）に配置されると共に、上下方向に棒状に形成され、左右（横）方向に一対互いに離間した状態で略平行に配置されている。側フレーム２８８は、前後方向に棒状に形成され、左右に一対互いに離間した状態で略平行に配置されている。側フレーム２８８は、下部側壁部１３０と、下部中壁部１１０とに隣接して配置されている。また側フレーム２８８は、収納部２８の底面上に配置されている。さらに側フレーム２８８は、滑り止め２８５を備える。滑り止め２８５は、一対の側フレーム２８８の各々２個ずつ取り付けられ、各側フレーム２８８の前後に１個ずつ取り付けられている。滑り止め２８５は、筒状に形成された樹脂製の部材である。底フレーム２８１は、左右方向に棒状に形成されている。底フレーム２８１の両端は、一対の側フレーム２８８の略中央部分に各々連結されている。側フレーム２８８と、後側縦フレーム２８２及び前側縦フレーム２８３とは略垂直に折り曲げられて形成されている。それに伴い、後側縦フレーム２８２と、前側縦フレーム２８３とは、略平行に配置されている。
【００６２】
図１６に示される上端フレーム２８４は、各フレームのうち主にゴミ袋７０を保持するための部位である。上端フレーム２８４は、収納部２８の左右方向の一端側から他端側にかけて連続して形成されている。上端フレーム２８４は、一対配置されている。上端フレーム２８４は、一方が収納部２８の収納空間２０ｂ内の開口側に配置されており、他方が収納部２８の収納空間２０ｂ内の下部奥壁部１２０側に配置されている。
【００６３】
一対の上端フレーム２８４は、図１６に示すように前側フレーム部２８４ａと、後側フレーム部２８４ｂとを備える。一対の上端フレーム２８４は、前側フレーム部２８４ａと、後側フレーム部２８４ｂとの各フレームが前後に一対離間した状態で略平行に配置されており、互いに略水平に配置されている。前側フレーム部２８４ａは、収納部２８の上下方向の中央よりも低い位置に配置され、後側フレーム部２８４ｂは、収納部２８の上下方向の略中央に配置されている。また前側フレーム部２８４ａは、後側フレーム部２８４ｂより低くなるように配置されている。また一対の上端フレーム２８４は、ゴミ袋７０を保持するためのマグネットバー８６を備える。
【００６４】
マグネットバー８６は、図１６に示すように前側フレーム部２８４ａと、後側フレーム部２８４ｂとに、各々４つ横並びに配置されている。前後に対向する位置に配置されているマグネットバー８６により、開口したゴミ袋７０の口の周縁の一端を前側フレーム部２８４ａへ、開口したゴミ袋７０の口の周縁の他端を後側フレーム部２８４ｂへ各々接合して取り付けることで、ゴミ袋７０の口を張設しながら、傾斜した状態で保持できる。マグネットバー８６は、一対の上端フレーム２８４にゴミ袋７０を間に挟んだ状態で、各々接合してゴミ袋７０を保持している。
【００６５】
第４の実施形態は、以下のような作用効果を有する。この食器棚では、マグネットバー８６は、一対の上端フレーム２８４の各フレーム部にゴミ袋７０を挟んで接合するためのマグネット部材であり、このマグネット部材によってゴミ袋７０が保持される。そうすることで、マグネット部材によってゴミ袋７０が保持できるので、ゴミ袋７０の口が安定する上、ゴミ袋７０を取り付け取り外しがさらに容易になる。
【００６６】
次に図１７及び図１８で示され第５の実施形態について説明する。第５の実施形態の特徴とする点は、第３及び第４の実施形態のスタンド２５０、２８０に代えて、ゴミ袋７０を保持するために一対の左右（横）フレーム３０４を用いた点である。第５の実施形態の食器棚１ｙは、上部収納部３（図示しない）と、テーブル５と、下部収納部２ｙとを備える。下部収納部２ｙは、下部収納部２ｙは、引き出し部２１ａ、２３ａ、２５ａと、収納部２８ｙとを備える。
【００６７】
図１７及び図１８に示される左右フレーム３０４は、ゴミ袋７０を保持するためのものである。左右フレーム３０４は、収納部２８ｙの収納空間２０ｃに設置され、線材のフレームで形成されている。左右フレーム３０４は、収納部２８ｙの左右方向の一端側から他端側にかけて連続して配置されている。左右フレーム３０４は、一対配置されている。左右フレーム３０４は、一方が収納部２８ｙの収納空間２０ｃ内の開口側に配置されており、他方が収納部２８ｙの収納空間２０ｃ内の下部奥壁部１２０側に配置されている。各左右フレーム３０４の一端は、下部収納部２ｙの中央の壁面を形成している下部中壁部１１０ｙに取り付けられ、左右フレームの他端は、食器棚１ｙの左右方向における外側壁面のうち下方の外側壁面を形成している下部側壁部１３０ｙに取り付けられて配置されている。
【００６８】
下部中壁部１１０ｙは、図１８に示すように上下方向に複数（例えば、１０個〜２０個）設けられた前側孔１１０ａと、上下方向に複数（例えば、１０個〜２０個）設けられた後側孔１１０ｂ（図示しない）とを有する。下部側壁部１３０ｙは、上下方向に複数（例えば、１０個〜２０個）設けられた前側孔１３０ａ（図示しない）と、上下方向に複数（例えば、１０個〜２０個）設けられた後側孔１３０ｂ（図示しない）とを有する。前側孔１１０ａ、１３０ａ及び後側孔１１０ｂ、１３０ｂは、フレーム保持部材３０６を固定するための孔である。また前側孔１１０ａ、１３０ａ及び後側孔１１０ｂ、１３０ｂは、左右フレーム３０４（フレーム保持部材３０６）の高さを調整するためのものである。
【００６９】
フレーム保持部材３０６は、図１８に示すように平面視で略三角形状に形成された部材である。フレーム保持部材３０６は、円柱状に形成された２つの差込部３０６ａと、左右フレーム３０４を固定するためのフレーム固定部３０６ｂとを有する。フレーム保持部材３０６は、下部中壁部１１０ｙにて、２つの差込部３０６ａのうち、一方の差込部３０６ａを前側孔１１０ａへ、他方の差込部３０６ａを前側孔１１０ａへ上下に各々差し込まれる。また、その一方で、フレーム保持部材３０６は、下部側壁部１３０ｙにて、２つの差込部３０６ａのうち、一方の差込部３０６ａを前側孔１３０ａへ、他方の差込部３０６ａを前側孔１３０ａへ上下に各々差し込まれる。同様にして、フレーム保持部材３０６は、一方の差込部３０６ａを後側孔１１０ｂへ、他方の差込部３０６ａを後側孔１１０ｂへ上下に各々差し込まれる。また、その一方で、フレーム保持部材３０６は、一方の差込部３０６ａを後側孔１３０ｂへ、他方の差込部３０６ａを後側孔１３０ｂへ上下に各々差し込まれる。そうすることで、合計４つが収納部２８ｙ内に取り付けられる。
【００７０】
フレーム固定部３０６ｂは、図１８に示すように断面視で上方が開放された略Ｃ字形状に形成された部位である。そのフレーム固定部３０６ｂの略Ｃ字形状に形成された凹部側により左右フレーム３０４は、上方から下方に向けて係合させることで固定される。各前後に２個ずつ配置されたフレーム保持部材３０６によって、各フレームを１本ずつフレーム固定部３０６ｂに弾性変形させながら係合させることによって、左右フレーム３０４が一対配置できる。
【００７１】
一対の左右フレーム３０４は、図１７及び図１８に示すように前側フレーム部３０４ａと、後側フレーム部３０４ｂとを備える。一対の左右フレーム３０４は、前側フレーム部３０４ａと、後側フレーム部３０４ｂとの各フレームが前後に離間した状態で略平行に配置されており、互いに略水平に配置されている。前側フレーム部３０４ａは、収納部２８ｙの上下方向の中央よりも低い位置に配置され、後側フレーム部３０４ｂは、収納部２８ｙの上下方向の略中央に配置されている。また前側フレーム部３０４ａは、後側フレーム部３０４ｂより低くなるように配置されている。そうすることで、ゴミ袋７０を保持するためのクリップ５６（５６０）により一対の左右フレーム３０４は、各々係合されてゴミ袋７０の口を張設しながら、傾斜した状態で保持できる。
【００７２】
第５の実施形態は、以下のような作用効果を有する。食器棚１ｙでは、前側フレーム部３０４ａは、収納部２８ｙの前側に配置されると共に、後側フレーム部３０４ｂは、収納部２８ｙの後側に配置されており、前側フレーム部３０４ａが後側フレーム部３０４ｂより低くなるように配置され、クリップ５６により開口したゴミ袋７０の口の周縁の一端を前側フレーム部３０４ａへ、開口したゴミ袋７０の口の周縁の他端を後側フレーム部３０４ｂへ各々取り付けることで、ゴミ袋７０の口を張設しながら、傾斜した状態で保持できるので、食器棚１ｙの正面から入れる場合には、前後に張設したゴミ袋７０の口が安定しており、ゴミ袋７０にゴミを捨てやすい。
【００７３】
また収納部２８ｙでは、前側フレーム部３０４ａ及び後側フレーム部３０４ｂとを保持するためのフレーム保持部材３０６を備え、フレーム保持部材３０６は、円柱状に形成された差込部３０６ａと、左右フレーム３０４を固定するためのフレーム固定部３０６ｂとを有する。左右フレーム３０４を固定するためのフレーム保持部材３０６により保持されているので、前側フレーム部３０４ａ及び後側フレーム部３０４ｂを安定して保持できる。また前側フレーム部３０４ａと後側フレーム部３０４ｂとの高さを変更することができる。さらに前側フレーム部３０４ａと後側フレーム部３０４ｂとの高低差を変更することができるため、クリップ５６で保持されたゴミ袋７０の口の傾斜角度が変更できる。
【００７４】
次に図１９に示される第６の実施形態について説明する。第６の実施形態の主な特徴とする点は、左右フレーム３０４に代えて、左右フレーム４０４を用いた点である。第６の実施形態の左右フレーム４０４は、ゴミ袋７０を保持するためのものである。左右フレーム４０４は、収納部２８ｙの収納空間２０ｃに設置され、両端が曲げられた線材のフレームで形成されている。左右フレーム４０４は、収納部２８ｙの左右方向の一端側から他端側にかけて連続して配置されている。左右フレーム４０４は、一対配置されている。左右フレーム４０４は、一方が収納部２８ｙの収納空間２０ｃ内の開口側に配置されており、他方が収納部２８ｙの収納空間２０ｃ内の下部奥壁部１２０側に配置されている。左右フレーム４０４の一端は、下部収納部２ｙの中央の壁面を形成している下部中壁部１１０ｙに取り付けられ、左右フレーム４０４の他端は、食器棚１ｙの左右方向における外側壁面のうち下方の外側壁面を形成している下部側壁部１３０ｙに取り付けられて配置されている。
【００７５】
下部中壁部１１０ｙは、図１７で示される前側孔１１０ａと、後側孔１１０ｂとを有する。下部側壁部１３０ｙは、図１７で示される前側孔１３０ａと、後側孔１３０ｂとを有する。前側孔１１０ａ、１３０ａ及び後側孔１１０ｂ、１３０ｂは、図１９に示すように左右フレーム４０４を保持するためのフレーム保持部４０６を固定（係止）するために設けられた孔である。また前側孔１１０ａ、１３０ａ及び後側孔１１０ｂ、１３０ｂは、左右フレーム４０４の高さを調整するためのものである。
【００７６】
フレーム保持部４０６は、図１９に示すように略Ｊ字状に形成された引っ掛け部４０６ａと、左右フレーム４０４を接続するためのフレーム接続部４０６ｂとを有する。
【００７７】
図１９に示されるフレーム接続部４０６ｂは、左右フレーム４０４の両端に接続して配置されている。左右フレーム４０４の両端は、曲げられており、フレーム接続部４０６ｂは、その曲げられた先の最も先端の部位で接続されている。フレーム接続部４０６ｂは、左右フレーム４０４の両端の線状（棒状）に形成された部位の外周（円周）面に接続されている。そうすることで、左右フレーム４０４とフレーム保持部４０６は一体化されている。左右フレーム４０４は、フレーム保持部４０６と一体化された全体の形状として略コの字状に形成されている。
【００７８】
図１９に示されるフレーム保持部４０６は、フレーム保持部４０６の引っ掛け部４０６ａを係止するための係止部材４０２に掛けられて固定される。係止部材４０２は、略円柱状に形成された部材であり、前側孔１１０ａ、１３０ａ及び後側孔１１０ｂ、１３０ｂへ各々計４つ差し込まれる。各４つの差し込まれた係止部材４０２は、下部中壁部１１０ｙと下部側壁部１３０ｙとから突出するようにして円柱状の４つの凸部を各々形成して配置されている。そうすることで、係止部材４０２の合計４つが収納部２８ｙ内に取り付けられる。
【００７９】
図１９に示される左右フレーム４０４は、フレーム保持部４０６の引っ掛け部４０６ａにより係止部材４０２に係止させることで固定される。各前後に２個ずつ配置された係止部材４０２へ、各左右フレーム４０４の両端に設けられた引っ掛け部４０６ａ（フレーム保持部４０６）により各左右フレーム４０４を１本ずつ係止させることによって、左右フレーム４０４は、一対配置できる。
【００８０】
図１９に示される一対の左右フレーム４０４は、前側フレーム部４０４ａと、後側フレーム部４０４ｂ（図示しない）とを備える。一対の左右フレーム４０４は、前側フレーム部４０４ａと、後側フレーム部４０４ｂとの各フレームが前後に離間した状態で略平行に配置されており、互いに略水平に配置されている。前側フレーム部４０４ａは、収納部２８ｙの上下方向の中央よりも低い位置に配置され、後側フレーム部４０４ｂは、収納部２８ｙの上下方向の略中央に配置されている。また前側フレーム部４０４ａは、後側フレーム部４０４ｂより低くなるように配置されている。そうすることで、ゴミ袋７０を保持するためのクリップ５６（５６０）により一対の左右フレーム４０４は、各々係合されてゴミ袋７０の口を張設しながら、傾斜した状態で保持できる。
【００８１】
第６の実施形態は、以下のような作用効果を有する。第６の実施形態の食器棚１ｙでは、収納部２８ｙは、前側フレーム部４０４ａ及び後側フレーム部４０４ｂとを保持するためのフレーム保持部４０６を備え、前側フレーム部４０４ａ及び後側フレーム部４０４ｂは、フレーム保持部４０６の引っ掛け部４０６ａを係止するための係止部材４０２に掛けられて固定される。このようなフレーム保持部４０６により保持されているので、前側フレーム部４０４ａ及び後側フレーム部４０４ｂを安定して保持できる。また、フレーム保持部４０６を係止するための係止部材は可動の棚板を載置する保持部材との共通化も可能である。
【００８２】
次に図２０に示される第７の実施形態について説明する。第７の実施形態の主な特徴とする点は、左右フレーム３０４、４０４に代えて、左右フレーム５０４を用いた点である。第６の実施形態の左右フレーム５０４は、ゴミ袋７０を保持するためのものである。左右フレーム５０４は、収納部２８ｙの収納空間２０ｃに設置され、曲げられた線材のフレームで形成されている。左右フレーム５０４は、収納部２８ｙの左右方向の一端側から他端側にかけて連続して配置されている。左右フレーム５０４は、一対配置されている。左右フレーム５０４は、一方が収納部２８ｙの収納空間２０ｃ内の開口側に配置されており、他方が収納部２８ｙの収納空間２０ｃ内の下部奥壁部１２０側に配置されている。左右フレーム５０４の一端は、下部収納部２ｙの中央の壁面を形成している下部中壁部１１０ｙに取り付けられ、左右フレーム５０４の他端は、食器棚１ｙの左右方向における外側壁面のうち下方の外側壁面を形成している下部側壁部１３０ｙに取り付けられて配置されている。
【００８３】
図１７に示される下部中壁部１１０ｙと下部側壁部１３０ｙとに各々配置される前側孔１１０ａ、１３０ａ及び後側孔１１０ｂ、１３０ｂは、図２０に示すように左右フレーム５０４を保持するために設けられた孔である。また前側孔１１０ａ、１３０ａ及び後側孔１１０ｂ、１３０ｂは、左右フレーム５０４の高さを調整するためのものである。
【００８４】
図２０に示される左右フレーム５０４の長手方向の両端は、略Ｚ字状に形成されている。左右フレーム５０４は、一方の１本の左右フレーム５０４の両端を、前側孔１１０ａ及び前側孔１３０ａへ、他方の１本の左右フレーム５０４の両端を、後側孔１１０ｂ、１３０ｂへ、各々その略Ｚ字状に形成された先端部分を差し込むことによって、一対配置されている。
【００８５】
図２０に示される一対の左右フレーム５０４は、前側フレーム部５０４ａと、後側フレーム部５０４ｂ（図示しない）とを備える。一対の左右フレーム５０４は、前側フレーム部５０４ａと、後側フレーム部５０４ｂとの各フレームが前後に離間した状態で略平行に配置されており、互いに略水平に配置されている。前側フレーム部５０４ａは、収納部２８ｙの上下方向の中央よりも低い位置に配置され、後側フレーム部５０４ｂは、収納部２８ｙの上下方向の略中央に配置されている。また前側フレーム部５０４ａは、後側フレーム部５０４ｂより低くなるように配置されている。そうすることで、ゴミ袋７０を保持するためのクリップ５６（５６０）により一対の左右フレーム５０４は、各々係合されてゴミ袋７０の口を張設しながら、傾斜した状態で保持できる。
【００８６】
第７の実施形態は、以下のような作用効果を有する。第７の実施形態の食器棚１ｙでは、収納部２８ｙは、前側フレーム部５０４ａ及び後側フレーム部５０４ｂとを保持するための前側孔１１０ａ、１３０ａと後側孔１１０ｂ、１３０ｂとを備え、前側フレーム部５０４ａ及び後側フレーム部５０４ｂは、前側孔１１０ａ、１３０ａと後側孔１１０ｂ、１３０ｂに差し込むことで固定される。左右フレーム５０４を固定するための前側孔１１０ａ、１３０ａと後側孔１１０ｂ、１３０ｂに差し込むことで保持されているので、前側フレーム部５０４ａ及び後側フレーム部５０４ｂをシンプルな構成で安定して保持できる。
【００８７】
次に図２１に示される第８の実施形態について説明する。第８の実施形態の特徴とする点は、左右フレーム３０４、４０４、５０４に代えて、スタンド６００を用いている点である。スタンド６００は、ゴミ袋７０を保持するためのものである。スタンド６００は、収納部２８ｙの収納空間２０ｙに設置され、曲げられた線材のフレームで形成されている。スタンド６００は、一対の左右（横）フレーム６０４と、側（前後）フレーム６０８とを備える。左右フレーム６０４は、収納部２８ｙの左右方向の一端側から他端側にかけて連続して配置されている。左右フレーム６０４は、一対配置されている。左右フレーム６０４は、一方が収納部２８ｙの収納空間２０ｙ内の開口側に配置されており、他方が収納部２８ｙの収納空間２０ｙ内の下部奥壁部１２０側に配置されている。左右フレーム６０４の一端側は、下部収納部２ｙの中央の壁面を形成している下部中壁部１１０ｙに取り付けられ、左右フレーム６０４の他端側は、食器棚１ｙの左右方向における外側壁面のうち下方の外側壁面を形成している下部側壁部１３０ｙに取り付けられて配置されている。
【００８８】
図１７に示される下部中壁部１１０ｙと下部側壁部１３０ｙとに各々配置される前側孔１１０ａ、１３０ａ（図示しない）は、図２１に示すようにスタンド６００の両端を保持するために設けられた孔である。また前側孔１１０ａ、１３０ａは、左右フレーム６０４（スタンド６００）の高さを調整するためのものである。
【００８９】
側（前後）フレーム６０８は、図２１に示すように左右（横）方向に離間した状態で略平行に一対配置されており、その中央部にスタンド６００を保持するための保持部６０６を有する。保持部６０６は、縦長で矩形状に形成され、上下に２つの孔６０６ａ、６０６ｂを有する。その孔６０６ａ、６０６ｂと、下部中壁部１１０ｙの前側孔１１０ａとに、各々上下にねじ１１０ｄが差し込まれて、スタンド６００の左右方向の一端部が下部中壁部１１０ｙに固定される。またその一方でその孔６０６ａ、６０６ｂと下部側壁部１３０ｙの前側孔１３０ａとに、各々上下にねじ１１０ｄが差し込まれて、スタンド６００の左右方向の他端側が下部側壁部１３０ｙに固定される。側フレーム６０８の長手方向と、保持部６０６の長手方向とは斜めになるように配置されている。
【００９０】
一対の左右フレーム６０４は、図２１に示すように前側フレーム部６０４ａと、後側フレーム部６０４ｂとを備える。一対の左右フレーム６０４は、前側フレーム部６０４ａと、後側フレーム部６０４ｂとの各フレームが前後に離間した状態で略平行に配置されており、互いに略水平に配置されている。前側フレーム部６０４ａは、後側フレーム部６０４ｂより低くなるように配置されている。そうすることで、ゴミ袋７０を保持するためのクリップ５６（５６０）により一対の左右フレーム６０４は、各々係合されてゴミ袋７０の口を張設しながら、傾斜した状態で保持できる。
【００９１】
第８の実施形態は、以下のような作用効果を有する。第８の実施形態の食器棚１ｙでは、前側フレーム部６０４ａは、収納部２８ｙの前側に配置されると共に、後側フレーム部６０４ｂは、収納部２８ｙの後側に配置されており、前側フレーム部６０４ａが後側フレーム部６０４ｂより低くなるように配置され、クリップ５６により開口したゴミ袋７０の口の周縁の一端を前側フレーム部６０４ａへ、開口したゴミ袋７０の口の周縁の他端を後側フレーム部６０４ｂへ各々取り付けることで、ゴミ袋７０の口を張設しながら、傾斜した状態で保持できるので、食器棚１ｙの正面から入れる場合には、前後に張設したゴミ袋７０の口が安定しており、ゴミ袋７０にゴミを捨てやすい。
【００９２】
また収納部２８ｙは、スタンド６００を保持するための保持部６０６と、この保持部６０６を保持するための前側孔１１０ａ、１３０ａを備え、前側孔１１０ａ、１３０ａにより保持部６０６を固定することでスタンド６００が保持される。前側孔１１０ａ、１３０ａのみでスタンド６００が固定されるので、収納部２８ｙの後側に孔を設ける必要がなくなる。
【００９３】
次に図２２に示される第９の実施形態について説明する。第９の実施形態の特徴とする点は、左右フレーム３０４、４０４、５０４又はスタンド６００に代えて、スタンド７００を用いている点である。第９の実施形態の図２２に示されるスタンド７００は、ゴミ袋７０を保持するためのものである。スタンド７００は、収納部２８ｙの収納空間２０ｃに設置され、曲げられた線材のフレームで形成されている。スタンド７００は、一対の左右（横）フレーム７０４と、側（前後）フレーム７０８とを備える。左右フレーム７０４は、収納部２８ｙの左右方向の一端側から他端側にかけて連続して配置されている。左右フレーム７０４は、一対配置されている。左右フレーム７０４は、一方が収納部２８ｙの収納空間２０ｃ内の開口側に配置されており、他方が収納部２８ｙの収納空間２０ｃ内の下部奥壁部１２０側に配置されている。左右フレーム７０４の一端側は、下部収納部２ｙの中央の壁面を形成している下部中壁部１１０ｙに取り付けられ、左右フレーム７０４の他端側は、食器棚１ｙの左右方向における外側壁面のうち下方の外側壁面を形成している下部側壁部１３０ｙに取り付けられて配置されている。一対の左右フレーム７０４のうち一方の左右フレーム７０４の一端側は、側フレーム７０８の中央と、一対の左右フレーム７０４のうち他方の左右フレーム７０４の一端側が側フレーム７０８の前端とに接続されている。
【００９４】
図１７に示される下部中壁部１１０ｙと下部側壁部１３０ｙとに各々配置される前側孔１１０ａ、１３０ａ及び後側孔１１０ｂ、１３０ｂは、図２２に示すように左右フレーム７０４を保持するために設けられた孔である。また前側孔１１０ａ、１３０ａ及び後側孔１１０ｂ、１３０ｂは、左右フレーム７０４（スタンド７００）の高さを調整するためのものである。
【００９５】
一対の側フレーム７０８は、図２２に示すように一対の左右フレーム７０４を間に挟んだ状態で配置されており、左右（横）方向に離間した状態で略平行に一対配置されている。側フレーム７０８の前後両端は、略Ｌ字状に屈曲しており、側フレーム７０８全体として略コの字状に形成されている。側フレーム７０８は、前後両端にスタンド７００を保持するための保持部７０８ａ、７０８ｂを有する。保持部７０８ａ、７０８ｂは、側フレーム７０８のＬ字状に屈曲された先の最先端の部位であり、左右方向に棒状に一対離間した状態で略平行に形成されている。保持部７０８ａ、７０８ｂは、一対の側フレーム７０８のうち一方の側フレーム７０８を、前側孔１１０ａ及び後側孔１１０ｂへ、他方の側フレーム７０８を、前側孔１３０ａ及び後側孔１３０ｂへ、各々その最先端部分を差し込むことによって、スタンド７００が保持されている。
【００９６】
一対の左右フレーム７０４は、図２２に示すように前側フレーム部７０４ａと、後側フレーム部７０４ｂとを備える。一対の左右フレーム７０４は、前側フレーム部７０４ａと、後側フレーム部７０４ｂとの各フレームが前後に離間した状態で略平行に配置されており、互いに略水平に配置されている。前側フレーム部７０４ａは、後側フレーム部７０４ｂより低くなるように配置されている。また一対の左右フレーム７０４は、ゴミ袋７０を保持するためのクリップ５６（図示しない）を備える。クリップ５６は、一対の左右フレーム７０４に各々係合してゴミ袋７０を保持できる。
【００９７】
第９の実施形態は、以下のような作用効果を有する。第９の実施形態の食器棚１ｙでは、前側フレーム部７０４ａは、収納部２８ｙの前側に配置されると共に、後側フレーム部７０４ｂは、収納部２８ｙの後側に配置されており、前側フレーム部７０４ａが後側フレーム部７０４ｂより低くなるように配置され、クリップ５６により開口したゴミ袋７０の口の周縁の一端を前側フレーム部７０４ａへ、開口したゴミ袋７０の口の周縁の他端を後側フレーム部７０４ｂへ各々取り付けることで、ゴミ袋７０の口を張設しながら、傾斜した状態で保持できるので、食器棚１ｙの正面から入れる場合には、前後に張設したゴミ袋７０の口が安定しており、ゴミ袋７０にゴミを捨てやすい。
【００９８】
また収納部２８ｙは、スタンド７００を保持するための保持部６０８と、この保持部７０８ａ、７０８ｂを保持するための前側孔１１０ａ、１３０ａ及び後側孔１１０ｂ、１３０ｂとを備え、保持部部７０８ａ、７０８ｂは、スタンド７００の一部を形成しており、前側孔１１０ａ、１３０ａ及び後側孔１１０ｂ、１３０ｂに前側フレーム部７０４ａ及び後側フレーム部７０４ｂの両端を差し込むことで固定される。したがって、スタンド７００の一部を形成した保持部６０８により、前側孔１１０ａ、１３０ａ及び後側孔１１０ｂ、１３０ｂに前側フレーム部７０４ａ及び後側フレーム部７０４ｂの両端を差し込むことで固定されるので、部材点数を削減しながら、安定的にスタンド７００（前側フレーム部７０４ａ及び後側フレーム部７０４ｂ）を保持できる。
【００９９】
次に図２３〜図２６に示され第１０の実施形態について説明する。第１０の実施形態の特徴とする点は、食器棚１、１ａに代えて、食器棚１ｂを用いた点である。第１０の実施形態の食器棚１ｂは、トールタイプの（背が高い）食器棚である。食器棚１ｂは、内部に収納空間８２０を有し、箱状に上下方向に長く形成されたものである。収納空間８２０は、面に囲まれた空間である。食器棚１ｂは、食器棚１ｂの側面を形成している側壁部８１０と、収納部８２８の収納空間８２０を上下に区分けする固定棚板８０６と、収納部８２８の収納空間８２０を上下に区分けし、取り外して可動できる可動棚板８０２と、食器棚１ｂの上面を形成している上面部８０５と、食器棚１ｂの底面を形成している底面部８０９とを備える。食器棚１ｂは、収納部８２８の内部（空間）に固定棚板８０６と、可動棚板８０２とを合わせて４つの棚板を有している。これらの棚板は、離間した状態で略水平（平行）に、上下に４つ（枚）並んで配置されている。固定棚板８０６は、食器棚１ｂの形状を維持して補強するための役割をもっており、食器棚１ｂの上部と下部に各々１つずつ配置されている。可動棚板８０２は、固定棚板８０６の間に、配置されており、上下に各々１つずつ配置されている。固定棚板８０６と、可動棚板８０２とは、食器棚１ｂの両側面に配置されている側壁部８１０の間に配置されている。上面部８０５は、食器棚１ｂの両側面に配置されている側壁部８１０の最上端に挟まれて、その最上端の部位の間に配置されている。底面部８０９は、食器棚１ｂの両側面に配置されている側壁部８１０の下端に挟まれて、その最上端の部位の間に配置されている。
【０１００】
側壁部８１０は、図２３〜図２５に示すように一対互いに離間した状態で平行に配置されている。一対の側壁部８１０は、上下方向に複数（例えば、１０個〜４０個）設けられた前側孔８１０ａと、上下方向に複数（例えば、１０個〜４０個）設けられた後側孔８１０ｂとを有する。前側孔８１０ａ及び後側孔８１０ｂは、ゴミ袋７０を保持するためのスタンド８００（可動棚板８０２）を保持するために設けられた保持部材８１２を固定するための孔である。また前側孔８１０ａ及び後側孔８１０ｂは、保持部材８１２の位置によってスタンド８００（可動棚板８０２）の高さを調整することができる。
【０１０１】
固定棚板８０６は、図２３〜図２５に示すように平板状に形成されており、平面視で矩形状に形成されている部材である。固定棚板８０６の左右両端は、側壁部８１０に固定されている。固定棚板８０６は、曲げられた線材のフレームで形成されるスタンド８００とを備える。
【０１０２】
可動棚板８０２は、図２３〜図２５に示すように平板状に形成されており、平面視で矩形状に形成されている部材である。可動棚板８０２は、保持部材８１２によって保持されている。可動棚板８０２は、４つの保持部材８１２の上に係止されながら保持される。保持部材８１２は、円柱状に形成された部材である。保持部材８１２は、前後左右に各々配置され、計４つ配置されている。可動棚板８０２は、曲げられた線材のフレームで形成されるスタンド８００とを備える。
【０１０３】
スタンド８００は、図２３〜図２６に示すようにクリップ５６（図示しない）により係合してゴミ袋７０を保持するための一対の左右フレーム８０４と、前後（手前と奥）に傾斜している一対の斜めフレーム８０８と、スタンド８００の上端を形成している一対の上部フレーム８１１と、食器棚１ｂの後（奥）側に上下方向に形成している一対の後縦フレーム８０７とを備える。
【０１０４】
斜めフレーム８０８は、図２４〜図２６に示すように左右（横）方向に一対配置されている。斜めフレーム８０８の下方の一端側は、左右フレーム８０４に連結されており、上方の他端側は、上部フレーム８１１に連結されている。
【０１０５】
一対の上部フレーム８１１は、図２６に示すように可動棚板８０２（固定棚板８０６）と略平行に隣接して配置されている。一対の上部フレーム８１１は、左右方向に互いに離間した状態で平行に配置され、前後に延びて形成されている。一対の上部フレーム８１１は、前（手前）側である一端側が、斜めフレーム８０８に連結されており、後（奥）側である他端側が、後縦フレーム８０７に連結されている。一対の上部フレーム８１１は、可動棚板８０２に取り付けるための接合部８１３が設けられている。接合部８１３によって可動棚板８０２の下面側にスタンド８００が取り付けられている。その取り付けられる際には、可動棚板８０２は、一対の左右フレーム８０４より上に配置されている。
【０１０６】
接合部８１３は、図２６に示すように一対の各上部フレーム８１１に、各々配置されており、互いに左右方向で線対称に配置されている。接合部８１３は、平面視で外輪郭が略Ｕ字状に形成された部位であり、平板状に形成されている。接合部８１３は、スタンド８００を可動棚板８０２（固定棚板８０６）に固定するための雄ねじ８１３ｃを通すための孔８１３ａを有する。接合部８１３（スタンド８００）は、孔８１３ａに雄ねじ８１３ｃを通して、可動棚板８０２側に設けられた孔８１３ｅに埋め込まれて固定された雌ねじ８１３ｄに螺合される。そうすることで、可動棚板８０２と、接合部８１３とが接続されて固定される。
【０１０７】
一対の左右フレーム８０４は、図２３〜図２６に示すように前側フレーム部８０４ａと、後側フレーム部８０４ｂとを備える。一対の左右フレーム８０４は、前側フレーム部８０４ａと、後側フレーム部８０４ｂとの各フレームが前後に離間した状態で略平行に配置されており、互いに略水平に配置されている。前側フレーム部８０４ａは、後側フレーム部８０４ｂより低くなるように配置されている。さらに前側フレーム部８０４ａは、この前側フレーム部８０４ａが固定された可動棚板８０２（固定棚板８０６）と離間した状態で、この可動棚板８０２の前（手前）端よりもさらに前（手前）側に配置されている。また一対の左右フレーム８０４は、ゴミ袋７０を保持するためのクリップ５６（図示しない）を備える。クリップ５６は、一対の左右フレーム８０４に各々係合してゴミ袋７０を保持できる。
【０１０８】
第１０の実施形態は、以下のような作用効果を有する。第１０の実施形態の食器棚１ｂでは、収納部８２８は、収納部８２８の収納空間８２０（内部空間）を上下に区分けする可動棚板８０２（固定棚板８０６）と、線材のフレームで形成されると共に一対の左右フレーム８０４を有するスタンド８００と、を備え、スタンド８００は、可動棚板８０２に取り付けられることによって左右フレーム８０４を保持する。そのため、収納部８２８の収納空間８２０を上下に区分けする可動棚板８０２に左右フレーム８０４を有するスタンド８００が取り付けられ、可動棚板８０２に固定された左右フレーム８０４に傾斜した状態でゴミ袋７０が保持できるので、食器棚１ｂの正面から入れる場合には、ゴミ袋７０の口が棚板に固定された一対の左右フレーム８０４にゴミ袋７０が安定して保持されており、ゴミ袋７０にゴミを捨てやすい。
【０１０９】
また食器棚１ｂでは、スタンド８００は、可動棚板８０２の下面側に取り付けられている。この場合、棚板の下面側にスタンド８００が取り付けられるので、可動棚板８０２の下方における収納部８２８の収納空間８２０を有効利用しながら、ゴミ袋７０を安定的に保持できる。
【０１１０】
また食器棚１ｂでは、可動棚板８０２は、一対の左右フレーム８０４より上に配置されており、前側フレーム部８０４ａは、可動棚板８０２と離間した状態で、可動棚板８０２の前端よりも前側に配置されている。したがって、前側フレーム部８０４ａは、可動棚板８０２と離間した状態で、可動棚板８０２の前端よりも前側に配置されているので、前側フレーム部８０４ａと可動棚板８０２との隙間が広くなり、開口したゴミ袋７０を一対に左右フレーム８０４に設置した場合には、そのゴミ袋７０の口が手前に配置されてさらにゴミの投入がしやすくなる。
【０１１１】
また食器棚１ｂでは、上下に可動棚板８０２が配置されており、食器棚１ｂの内部で上下に位置調整ができるので、可動棚板８０２の下方の空間を広くしたり、狭くしたりすることができ、より収納空間８２０を有効利用できる。
【０１１２】
また食器棚１ｂでは、上下に複数の可動棚板８０２（固定棚板８０６）が配置されており、この各可動棚板８０２は、スタンド８００が配置されているので、上下の各可動棚板８０２に取り付けられたスタンド８００にゴミ袋７０を設置することができ、上下に各々ゴミ袋７０を取り付けることができる。そうすることで、ゴミ袋７０を複数保持することができ、さらに収納空間８２０を有効利用できる。
【０１１３】
次に図２７及び図２８に示される第１１の実施形態について説明する。第１１の実施形態の特徴とする点は、第１０の実施形態のスタンド８００に代えて、スタンド９００を用いた点である。食器棚１ｃは、側壁部８１０と、収納部８２８の収納空間８２０を上下に区分けし、取り外して可動できる可動棚板９０２と、上面部８０５（図示しない）と、底面部８０９とを備える。
【０１１４】
可動棚板９０２は、図２７及び図２８に示すように平板状に形成されており、平面視で矩形状に形成されている部材である。可動棚板９０２は、保持部材８１２（図示しない）によって保持されている。可動棚板９０２は、４つの保持部材８１２の上に係止されながら保持される。可動棚板９０２は、曲げられた線材のフレームで形成されるスタンド９００とを備える。
【０１１５】
スタンド９００は、図２７及び図２８に示すようにクリップ５６（図示しない）により係合してゴミ袋７０を保持するための一対の斜めフレーム９０４ｃとを備える。またスタンド９００は、スタンド９００の上端を形成し、後側を形成している後上部フレーム９０４ｂと、スタンド９００の上端を形成し、前側を形成している前上部フレーム９０４ａとを備える。さらにスタンド９００は、食器棚１ｃの後（奥）側に上下方向に形成している一対の後縦フレーム９０７ｂと、食器棚１ｃの前（手前）側に上下方向に形成している一対の前縦フレーム９０７ａとを備える。
【０１１６】
前上部フレーム９０４ａと後上部フレーム９０４ｂとは、図２７及び図２８に示すように可動棚板９０２と略平行に隣接して配置されている。前上部フレーム９０４ａと後上部フレーム９０４ｂとは、前後方向に互いに離間した状態で平行に配置されている。前上部フレーム９０４ａは、その両端が一対の前縦フレーム９０７ａに連結されている。後上部フレーム９０４ｂは、その両端が一対の後縦フレーム９０７ｂに連結されている。前上部フレーム９０４ａと後上部フレーム９０４ｂとは、可動棚板９０２に取り付けるための接合部９１３が設けられている。接合部９１３部の端部は、一端側が前上部フレーム９０４ａの略中央に連結されており、他端側が後上部フレーム９０４ｂの略中央に連結されている。接合部９１３によって可動棚板９０２の下面側にスタンド９００が取り付けられている。その取り付けられる際には、可動棚板９０２は、一対の斜めフレーム９０４ｃより上に配置されている。
【０１１７】
図２７及び図２８に示される接合部９１３は、前後方向に配置され、平面視で略矩形状に形成された部位であり、平板状に形成されている。接合部９１３は、スタンド９００を可動棚板９０２に固定するための雄ねじ９１３ｃを通すために、接合部９１３の前端側に設けられた孔９１３ａと、接合部９１３の後端側に設けられた孔９１３ｂとを有する。接合部９１３（スタンド９００）は、孔９１３ａ、９１３ｂに各々雄ねじ９１３ｃを通して、可動棚板９０２側に設けられた孔９１３ｅ、９１３ｅに埋め込まれて固定された雌ねじ９１３ｄ、９１３ｄに螺合される。そうすることで、可動棚板９０２と、接合部９１３（スタンド９００）とが接続されて固定される。
【０１１８】
一対の斜めフレーム９０４ｃは、図２７及び図２８に示すように前（手前）側である一端側が、前縦フレーム９０７ａに連結されており、後（奥）側である他端側が、後縦フレーム９０７ｂに連結されている。一対の斜めフレーム９０４ｃは、各フレームが左右に離間した状態で略平行に配置されており、設置（底）面に対して傾斜した状態で配置されている。一対の斜めフレーム９０４ｃの前端側は、その後端側より低くなるように配置されている。また一対の斜めフレーム９０４ｃは、ゴミ袋７０を保持するためのクリップ５６（図示しない）を備える。クリップ５６は、一対の斜めフレーム９０４ｃに各々係合してゴミ袋７０を保持できる。
【０１１９】
第１１の実施形態は、以下のような作用効果を有する。第１１の実施形態の食器棚１ｃでは、収納部９２８は、収納部９２８の収納空間９２０（内部空間）を上下に区分けする可動棚板９０２と、線材のフレームで形成されると共に一対の斜めフレーム９０４ｃを有するスタンド９００とを備え、スタンド９００は、可動棚板９０２に取り付けられることによって一対の斜めフレーム９０４ｃを保持する。そのため、収納部９２８の収納空間９２０を上下に区分けする可動棚板９０２に一対のフレーム部を有するスタンド９００が取り付けられ、可動棚板９０２に固定された一対のフレーム部に傾斜した状態でゴミ袋が保持できるので、食器棚１ｃの正面から入れる場合には、ゴミ袋７０の口が可動棚板９０２に固定された一対の斜めフレーム９０４ｃにゴミ袋７０が安定して保持されており、ゴミ袋７０にゴミを捨てやすい。
【０１２０】
また食器棚１ｃでは、スタンド９００は、可動棚板９０２の下面側に取り付けられている。この場合、可動棚板９０２の下面側にスタンド９００が取り付けられるので、可動棚板９０２の下方の収納部９２８の収納空間９２０を有効利用しながら、ゴミ袋７０を安定的に保持できる。
【０１２１】
また食器棚１ｃでは、可動棚板９０２は、一対の斜めフレーム９０４ｃより上に配置されており、一対の斜めフレーム９０４ｃは、各フレームが左右に離間した状態で略平行に配置されており、設置（底）面に対して傾斜した状態で配置されており、一対の斜めフレーム９０４ｃの前端側は、その後端側より低くなるように配置されている。したがって、一対の斜めフレーム９０４ｃの前端側は、その後端側より低くなっているため、設置された開口したゴミ袋７０の口が後側より前側が下がった状態で配置できるので、食器棚１ｃの正面でゴミの投入がしやすくなる。
【０１２２】
最後に図２９及び図３０に示される第１２の実施形態について説明する。第１２の実施形態の特徴とする点は、食器棚１ｂに代えて、食器棚１ｙにスタンド８５０を用いる点である。スタンド８５０は、クリップ５６により係合してゴミ袋７０を保持するための一対の左右フレーム８５４とを備える。またスタンド８５０は、収納部２８ｙの前側に配置されて、前後（手前と奥）に傾斜している一対の前斜フレーム８５８ａと、収納部２８ｙの後側に配置されて、前後（手前と奥）に傾斜している一対の後斜フレーム８５８ｂとを備える。さらにスタンド８５０は、スタンド８５０の上端を形成している一対の上部フレーム８６１とを備える。
【０１２３】
斜めフレーム８５８は、図２９及び図３０に示すように左右（横）方向に一対配置されている。斜めフレーム８５８の下方の一端側は、左右フレーム８５４に連結されており、上方の他端側は、上部フレーム８６１に連結されている。
【０１２４】
一対の上部フレーム８６１は、図２９及び図３０に示すように可動棚板８５２と略平行に隣接して配置されている。一対の上部フレーム８６１は、左右に互いに離間した状態で平行に配置されている。一対の上部フレーム８６１は、前（手前）側である一端側が、前斜フレーム８５８ａに接続されており、後（奥）側である他端側が、後斜フレーム８５８ｂに連結されている。一対の上部フレーム８６１は、可動棚板８５２に取り付けるための接合部８６３が設けられている。接合部８６３によって可動棚板８５２の下面側にスタンド８５０が取り付けられている。その取り付けられる際には、可動棚板８５２は、一対の左右フレーム８５４より上に配置されている。上部フレーム８６１は、可動棚板８５２の前後方向の略中央に配置されており、可動棚板８５２の一端側から他端側にかけて配置されている。
【０１２５】
接合部８６３は、図２９及び図３０に示すように一対の各上部フレーム８６１に、接続されて配置されている。接合部８６３は、左右方向のスタンド８５０の一端側から他端側にかけて配置され、平面視で長細い略矩形状に形成された棒状の部位であり、平板状に形成されている。接合部８６３は、スタンド８５０を可動棚板８５２に固定するための雄ねじ８６３ｃを通すために、接合部８６３の左右方向の両端側に設けられた孔８６３ａと、接合部８６３の略中央に設けられた孔８６３ｂとを有する。接合部８６３（スタンド８５０）は、孔８６３ａ、８６３ｂに各々雄ねじ８６３ｃを通して、可動棚板８５２側に設けられた孔８６３ｅ、８６３ｅ、８６３ｅに埋め込まれて固定された雌ねじ８６３ｄ、８６３ｄ、８６３ｄに螺合される。そうすることで、可動棚板８５２と、接合部８６３（スタンド８５０）とが接続されて固定される。
【０１２６】
一対の左右フレーム８５４は、図２９及び図３０に示すように前側フレーム部８５４ａと、後側フレーム部８５４ｂとを備える。一対の左右フレーム８５４は、前側フレーム部８５４ａと、後側フレーム部８５４ｂとの各フレームが前後に離間した状態で略平行に配置されており、互いに略水平に配置されている。前側フレーム部８０４ａは、後側フレーム部８０４ｂより低くなるように配置されている。さらに前側フレーム部８５４ａは、この前側フレーム部８５４ａが固定された可動棚板８５２と離間した状態で、この可動棚板８５２の前（手前）端よりもさらに前（手前）側に配置されている。また一対の左右フレーム８５４は、ゴミ袋７０を保持するためのクリップ５６を備える。クリップ５６は、一対の左右フレーム８５４に各々係合してゴミ袋７０を保持できる。ゴミ袋７０を横並びで複数保持できる。
【０１２７】
第１２の実施形態は、以下のような作用効果を有する。第１２の実施形態の食器棚１ｙでは、収納部２８ｙは、収納部２８ｙの収納空間８７０（内部空間）を上下に区分けする可動棚板８５２と、線材のフレームで形成されると共に一対の左右フレーム８５４を有するスタンド８５０とを備え、スタンド８５０は、可動棚板８５２に取り付けられることによって左右フレーム８５４を保持する。そのため、収納部２８ｙの収納空間８７０を上下に区分けする可動棚板８５２に左右フレーム８５４を有するスタンド８５０が取り付けられ、可動棚板８５２に固定された左右フレーム８５４に傾斜した状態でゴミ袋７０が保持できるので、食器棚１ｙの正面から入れる場合には、ゴミ袋７０の口が可動棚板８５２に固定された一対の左右フレーム８５４にゴミ袋７０が安定して保持されており、ゴミ袋７０にゴミを捨てやすい。
【０１２８】
本実施形態の食器棚は、上述した実施形態に限定されるものではなく他の形態でも実施できる。本実施形態では、食器棚は、引き出しタイプ、オープンタイプ及びトールタイプに適用したがこれに限られるものではない。他の種類の食器棚に適用してもよい。
【０１２９】
また本実施形態の食器棚の引き出し部２９は、下部収納部２に配置して適用したがこれらに限られるものではない。食器棚の上下方向の中央部に設けられた収納部や食器棚の上部に設けられた収納部に配置してもよい。また、他の形態として、引き出し部２９に隣接して、引き出し部２１、２３、２５がないタイプや、引き出し部２９の左右両側に隣接して、引き出し部を設けて、隣接した一端側を引き出し部２１、２３、２５とし、隣接した他端側を引き出し部２１ｂ、２３ｂ、２５ｂとして配置してもよい。
【０１３０】
また本実施形態の食器棚１ａは、スタンド２５０、２８０を用いて適用したがこれらに限られるものではない。スタンド２５０、２８０に代えて、スタンド５０を用いてもよい。その際には、収納部２８の収納空間Ｓの寸法に適宜変更することが望ましい。
【０１３１】
また本実施形態の食器棚１ａの下部収納部２ａに配置されたスタンド２５０、２８０は、前側フレーム部２５４ａ、２８４ａが収納部２８の上下方向の中央よりも低い位置に配置され、後側フレーム部２５４ｂ、２８４ｂが収納部２８の上下方向の略中央に配置されるように形成されているがこれに限られるものではない。スタンド２５０、２８０は、前側フレーム部２５４ａ、２８４ａと後側フレーム部２５４ｂ、２８４ｂとは、収納部２８の上下方向の中央よりも上に配置可能に形成してもよく、また、収納部２８の上下方向の中央より下に配置可能に形成してもよい。
【０１３２】
また本実施形態の食器棚は、ゴミ袋保持部を備える一対の上端フレーム５４、８４、９４、２５４、２８４を用いて適用したがこれらに限られるものではない。棒状（線状）に形成されたもの又は薄い平板状で細長く形成されたものを用いて、引き出し部２９の前面部１４と、引き出し部２９の後面部１２に各々直接取り付けて本発明の「一対のフレーム部」として適用してもよい。なお棒状に形成された一対のフレーム部の各フレームの太さは特に限定されず、また曲げられて形成してもよい。なお棒状に形成された一対のフレーム部を用いる場合、一対のフレーム部は、各フレームのうち引き出し部２９の前面部１４に取り付けられたものを前側フレーム部とし、引き出し部２９の後面部１２に取り付けられたものを後側フレーム部としてもよい。またこの場合、前側フレーム部と、後側フレーム部との各フレームが前後に離間した状態で略平行に配置されており、互いに略水平に配置してもよい。さらにこの場合、前側フレーム部は、後側フレーム部より低くなるように配置してもよい。そうすることで、ゴミ袋７０を保持するためのクリップ５６（５６０）により一対のフレーム部は、各々係合されて開口したゴミ袋７０の口を張設しながら、このゴミ袋７０の口を後側よりも前側が下がるようにして傾斜した状態で保持することができる。またその一方で、他の形態として、薄い平板状に細長く形成された一対のフレーム部を用いる場合、一対のフレーム部をマグネットにつく構成にしてもよい。この場合、ゴミ袋７０を保持するためのマグネットバー８６により一対のフレーム部は、各々接合されて開口したゴミ袋７０の口を張設しながら、このゴミ袋７０の口を後側よりも前側が下がるようにして傾斜した状態で保持してもよい。
【符号の説明】
【０１３３】
１          食器棚
１ａ        食器棚
１ｂ        食器棚
１ｃ        食器棚
１ｙ        食器棚
２          下部収納部
２ａ        下部収納部
３          上部収納部
５          テーブル
７          壁面
９          奥壁面部
１２ｂ      孔
１２        後面部
１３        取っ手
１４        前面部
１４ｂ      孔
１５        側面部
１６        側上部
１８        側下部
１９        底面部
２０        内部空間
２０ａ      収納空間
２０ｂ      収納空間
２０ｃ      収納空間
２０ｙ      収納空間
２１        引き出し部
２１ａ      引き出し部
２３        引き出し部
２３ａ      引き出し部
２５        引き出し部
２５ａ      引き出し部
２７        引き出し部
２８        収納部
２８ｙ      収納部
２９        引き出し部
３０        内部空間
３２        引き戸
３４        上部収納用底板
５０        スタンド
５１        底フレーム
５２        後側縦フレーム
５３        前側縦フレーム
５４        上端フレーム
５４ａ      前側フレーム部
５４ｂ      後側フレーム部
５５        滑り止め
５６        クリップ
５６ａ      突起
５６ｂ      ガイド部
５６ｃ      凹み
５８        側フレーム
７０        ゴミ袋
８０        スタンド
８１        底フレーム
８２        後側縦フレーム
８３        前側縦フレーム
８４        上端フレーム
８４ａ      前側フレーム部
８４ｂ      後側フレーム部
８５        滑り止め
８６ｂ      マグネット
８６        マグネットバー
８６ａ      突起
８８        側フレーム
９４        上端フレーム
９４ａ      前側フレーム部
９４ｂ      後側フレーム部
１１０      下部中壁部
１１０ｙ    下部中壁部
１１０ａ    前側孔
１１０ｂ    後側孔
１２０      下部奥壁部
１３０      下部側壁部
１３０ｙ    下部側壁部
１３０ａ    前側孔
１３０ｂ    後側孔
２５０      スタンド
２５１      底フレーム
２５２      後側縦フレーム
２５３      前側縦フレーム
２５４      上端フレーム
２５４ａ    前側フレーム部
２５４ｂ    後側フレーム部
２５５      滑り止め
２５８      側フレーム
２５９      前後補強フレーム
２６０      左右補強フレーム
２８０      スタンド
２８１      底フレーム
２８２      後側縦フレーム
２８３      前側縦フレーム
２８４      上端フレーム
２８４ａ    前側フレーム部
２８４ｂ    後側フレーム部
２８８      側フレーム
３０４      左右フレーム
３０４ａ    前側フレーム部
３０４ｂ    後側フレーム部
３０６      フレーム保持部材
３０６ａ    差込部
３０６ｂ    フレーム固定部
４０２      係止部材
４０４      左右フレーム
４０４ａ    前側フレーム部
４０４ｂ    後側フレーム部
４０６      フレーム保持部
４０６ａ    引っ掛け部
４０６ｂ    フレーム接続部
５０４      左右フレーム
５０４ａ    前側フレーム部
５０４ｂ    後側フレーム部
５６０      クリップ
５６０ａ    突起
５６０ｂ    握り部
５６０ｃ    凹部
５６０ｄ    凹部
６００      スタンド
６０４      左右フレーム
６０４ａ    前側フレーム部
６０４ｂ    後側フレーム部
６０６      保持部
６０８      側フレーム
６０８ａ    孔
６０８ｂ    孔
７００      スタンド
７０４      左右フレーム
７０４ａ    前側フレーム部
７０４ｂ    後側フレーム部
７０８      側フレーム
７０８ａ    保持部
７０８ｂ    保持部
８００      スタンド
８０２      可動棚板
８０４      左右フレーム
８０４ａ    前側フレーム部
８０４ｂ    後側フレーム部
８０５      上面部
８０６      固定棚板
８０７      後縦フレーム
８０８      斜めフレーム
８０９      底面部
８１０      側壁部
８１０ａ    前側孔
８１０ｂ    後側孔
８１１      上部フレーム
８１１      各上部フレーム
８１２      保持部材
８１３ａ    孔
８１３ｅ    孔
８１３      接合部
８２０      収納空間
８２８      収納部
８５０      スタンド
８５２      可動棚板
８５４      左右フレーム
８５４ａ    前側フレーム部
８５４ｂ    後側フレーム部
８５８      斜めフレーム
８５８ａ    前斜フレーム
８５８ｂ    後斜フレーム
８６１      上部フレーム
８６３ａ    孔
８６３ｂ    孔
８６３ｅ    孔
８６３      接合部
８７０      収納空間
９００      スタンド
９０２      可動棚板
９０４ａ    前上部フレーム
９０４ｂ    後上部フレーム
９０４ｃ    斜めフレーム
９０７ａ    前縦フレーム
９０７ｂ    後縦フレーム
９１３ａ    孔
９１３ｂ    孔
９１３ｅ    孔
９１３      接合部
９２０      収納空間
９２８      収納部
【図１】
2016135707.tif 000003
【図２】
2016135707.tif 000004
【図３】
2016135707.tif 000005
【図４】
2016135707.tif 000006
【図５】
2016135707.tif 000007
【図６】
2016135707.tif 000008
【図７】
2016135707.tif 000009
【図８】
2016135707.tif 000010
【図９】
2016135707.tif 000011
【図１０】
2016135707.tif 000012
【図１１】
2016135707.tif 000013
【図１２】
2016135707.tif 000014
【図１３】
2016135707.tif 000015
【図１４】
2016135707.tif 000016
【図１５】
2016135707.tif 000017
【図１６】
2016135707.tif 000018
【図１７】
2016135707.tif 000019
【図１８】
2016135707.tif 000020
【図１９】
2016135707.tif 000021
【図２０】
2016135707.tif 000022
【図２１】
2016135707.tif 000023
【図２２】
2016135707.tif 000024
【図２３】
2016135707.tif 000025
【図２４】
2016135707.tif 000026
【図２５】
2016135707.tif 000027
【図２６】
2016135707.tif 000028
【図２７】
2016135707.tif 000029
【図２８】
2016135707.tif 000030
【図２９】
2016135707.tif 000031
【図３０】
2016135707.tif 000032